(57)【特許請求の範囲】
【請求項１】
開口部を有し、ロール状に巻回された状態のウェットシートを前記開口部から収納する容器本体と、前記開口部を開閉するように前記容器本体に取り付けられ、上面に前記ウェットシートを外側に取り出すための取出部を有する蓋体と、を備えるウェットシート収納容器であって、
前記容器本体内のロール状のウェットシートよりも上方の内周面又は前記蓋体の内周面の全周に沿って設けられ、液分を下方に滴下する液分ガイドを備え、
前記液分ガイドは、中央が開口した開口端部を有し、当該開口端部が初期状態の前記ロール状のウェットシートの芯部よりも外側で且つ外縁部よりも内側に位置していることを特徴とするウェットシート収納容器。
【請求項２】
前記蓋体の天面部の形状が曲面状であることを特徴とする請求項１に記載のウェットシート収納容器。
【請求項３】
前記液分ガイドは、前記蓋体と一体形成されていることを特徴とする請求項１又は２に記載のウェットシート収納容器。
【請求項４】
前記液分ガイドは、前記ロール状のウェットシートの取り出し方向に折り畳み可能に蛇腹状に形成されていることを特徴とする請求項３に記載のウェットシート収納容器。
【請求項５】
前記液分ガイドは、前記容器本体と一体形成され、
前記開口端部は、前記ロール状のウェットシートを収納する際に拡径可能に形成されていることを特徴とする請求項１又は２に記載のウェットシート収納容器。
【発明の詳細な説明】
【技術分野】
【０００１】
本発明は、ウェットシートを収納するウェットシート収納容器に関する。
【背景技術】
【０００２】
従来、清拭や化粧などに使用される衛生用品として、不織布製のシートに水やアルコールなどの液体成分（以下、液分）を含浸させたウェットシートが知られている。ロール状に巻回された状態のウェットシートを収納するウェットシート収納容器は、例えば、容器本体が上下に分離可能に構成され、上側の容器本体の上面にはスリットや小孔からなるウェットシートの取出部が形成されているものが広く知られている。
【０００３】
ウェットシートは、温度や湿度などの保管条件により含有する液分が蒸発し、容器の天面に水滴として付着する。また、ロール状に巻回された状態のウェットシートは、適切な保管条件であっても、時間の経過により下部に液分が移行し、上部の液分率が低下する。即ち、ロール状に巻回された状態のウェットシートは、均一に液分を含浸させることが難しく、下部に偏る傾向がある。ウェットシートの液分率に偏りが生じると、液分率が低下した部分の使用感が低下するという問題がある。また、菌やカビに対する保存安定性が低下するという問題がある。
【０００４】
上記の問題に対して、上側の容器本体の上面に形成された取出部の周囲の位置に液体滴下壁を設けることで、ウェットシートを取出部から取り出した際にウェットシートが絞られて漏れ出した液分を下方に滴下する構成が開示されている（例えば、特許文献１参照）。
【先行技術文献】
【特許文献】
【０００５】
【特許文献１】特開２００９−４６１７９号公報
【発明の概要】
【発明が解決しようとする課題】
【０００６】
しかしながら、上記特許文献１記載の技術によれば、結果的にロールの上部に液分を再含浸させることとなるが、ロールの上部の一部にのみ液分が溜まるため、均一に液分を含浸させることができない。従って、依然としてウェットシートの液分率の偏りを解消することができず、使用感や保存安定性を向上させることができない。
【０００７】
本発明は、ウェットシートの使用感や保存安定性の低下を抑制可能なウェットシート収納容器を提供することを目的とする。
【課題を解決するための手段】
【０００８】
請求項１に記載の発明は、上記目的を達成するためになされたものであり、
開口部を有し、ロール状に巻回された状態のウェットシートを前記開口部から収納する容器本体と、前記開口部を開閉するように前記容器本体に取り付けられ、上面に前記ウェットシートを外側に取り出すための取出部を有する蓋体と、を備えるウェットシート収納容器であって、
前記容器本体内のロール状のウェットシートよりも上方の内周面又は前記蓋体の内周面の全周に沿って設けられ、液分を下方に滴下する液分ガイドを備え、
前記液分ガイドは、中央が開口した開口端部を有し、当該開口端部が初期状態の前記ロール状のウェットシートの芯部よりも外側で且つ外縁部よりも内側に位置していることを特徴とする。
【０００９】
請求項２に記載の発明は、請求項１に記載のウェットシート収納容器において、
前記蓋体の天面部の形状が曲面状であることを特徴とする。
【００１０】
請求項３に記載の発明は、請求項１又は２に記載のウェットシート収納容器において、
前記液分ガイドは、前記蓋体と一体形成されていることを特徴とする。
【００１１】
請求項４に記載の発明は、請求項３に記載のウェットシート収納容器において、
前記液分ガイドは、前記ロール状のウェットシートの取り出し方向に折り畳み可能に蛇腹状に形成されていることを特徴とする。
【００１２】
請求項５に記載の発明は、請求項１又は２に記載のウェットシート収納容器において、
前記液分ガイドは、前記容器本体と一体形成され、
前記開口端部は、前記ロール状のウェットシートを収納する際に拡径可能に形成されていることを特徴とする。
【発明の効果】
【００１３】
本発明によれば、容器の天面に結露した液分や、ウェットシートを引き出した際に絞られた液分を、ロール上部に再含浸させることによって、ウェットシートの使用感の低下を抑制することができる。また、ウェットシートの菌やカビに対する保存安定性の低下を抑制することができる。
【図面の簡単な説明】
【００１４】
【図１】本実施形態のウェットシート収納容器を正面から見た断面図である。
【図２】本実施形態のウェットシート収納容器を正面上方から見た外観斜視図である。
【図３】本実施形態のウェットシート収納容器の液分ガイド及びロール状のウェットシートを示す斜視図である。
【図４】本実施形態のウェットシート収納容器の作用を説明するための図である。
【図５】液分ガイドの変形例を示す図である。
【図６】液分ガイドの変形例を示す図である。
【図７】蓋体と液分ガイドとを一体的に形成した一例を示す図である。
【発明を実施するための形態】
【００１５】
以下、本発明の実施の形態を図面に基づいて説明する。
【００１６】
先ず、構成について説明する。
本実施形態に係るウェットシート収納容器（以下、収納容器）１００は、図１及び図２に示すように、例えば、開口部１１を有し、ロール状に巻回された状態のウェットシートＰを開口部１１から収納する容器本体１０と、開口部１１を開閉するように容器本体１０に着脱可能に取り付けられ、上面にウェットシートＰを外側に取り出すための取出部２１を有する蓋体２０と、を備えて構成されている。
この収納容器１００に収納するロール状に巻かれたウェットシートＰには、長さ方向に一定間隔をおいてミシン目が施されており、そのミシン目に沿って切り離したサイズのウェットシートＰをユーザーが使用するようになっている。
【００１７】
容器本体１０は、底部から上端部近傍までほぼ一定の略円筒状であり、上面には大きく開口した開口部１１を有している。また、この容器本体１０の上端部の外周面には、周方向に沿って雄ネジ部が形成されている。
容器本体１０は、円筒状であることから、ロール状のウェットシートＰをほぼ同心位置に配置して収納することを可能としている。また、ウェットシートＰは、ロールの中心側から紙片を繰り出すようになっている。
この容器本体１０は、例えば、ＰＥ（ポリエチレン）やＰＰ（ポリプロピレン）、或いはＰＥＴ（ポリエチレンテレフタレート）、ＡＢＳ（Acrylonitrile Butadiene Styrene）樹脂等を用いて、射出成形、二色成形、ブロー成形等により一体的に形成されている。
【００１８】
蓋体２０は、容器本体１０に比べて丈の短い円筒状であって、その上端側は天面部２２により閉塞され、下端部は開口している。また、蓋体２０は、外径が容器本体１０の外径とほぼ等しく、その内周面には容器本体１０の雄ネジ部に螺合する雌ネジ部が形成されている。蓋体２０は、この雌ネジ部により、容器本体１０の上端部に対して着脱可能となっている。
従って、蓋体２０を容器本体１０から取り外した状態では容器本体１０の内部にウェットシートＰを充填することを可能とし、蓋体２０を容器本体１０に取り付けた状態では内部のウェットシートＰのロールが外に出ないように保持することを可能とする。
この蓋体２０は、例えば、ＰＥやＰＰ、或いはＰＥＴ、ＡＢＳ樹脂等を用いて、射出成形、二色成形、ブロー成形等により一体的に形成されている。
【００１９】
蓋体２０の天面部２２の中央部には、凹部２３が形成されており、当該凹部２３に嵌合するように小蓋２５が天面部２２に取り付けられている。
また、凹部２３の中央部には、円筒部２４が立設されており、その内側が上下に貫通して取出部２１となっている。この円筒部２４の上端には、周外に向かって突出したフランジ状の係止部２４ａが形成され、小蓋２５を閉じたときに係止することを可能としている。
【００２０】
ここで、取出部２１は、容器本体１０に蓋体２０を取り付けたままの状態で、内側のウェットシートＰを取り出すためのものである。
取出部２１は、例えば、平面視で十字状の切り込みにより形成され、ウェットシートＰがその中心を上方に向かって通過する際に、当該ウェットシートＰに適度に摺動抵抗を付与するようになっている。これにより、ウェットシートＰの使用時にその摺動抵抗がウェットシートＰに作用し、ミシン目からの分離が促されるとともに、次のウェットシートＰの先端部が取出部２１に挟まれた状態で保持されるので、容器本体１０に戻ることが防止され、次のウェットシートＰをすぐに使用することが可能となる。
この取出部２１は、小蓋２５のＹ軸回りの回動により開閉が行われる。小蓋２５は、その後端部近傍に当該小蓋２５をＹ軸方向に沿って折曲可能とするヒンジ部（図示省略）を備えており、凹部２３に嵌合して取出部２１を閉じた状態から起立して取出部２１を開いた状態まで回動することが可能となっている。なお、この小蓋２５は、ウェットシートＰを取り出す際に開状態とされる以外は、通常閉状態に維持されている。
【００２１】
容器本体１０の内部には、ロール状のウェットシートＰよりも上方の内周面の全周に沿って設けられ、液分を下方に滴下する液分ガイド３０が着脱可能に設置されている。
液分ガイド３０は、図１及び図３に示すように、中央が開口した下端部（開口端部）３２に向かうにつれて細くなる漏斗状であり、その上端部３１及び下端部３２は円形状に開口している。液分ガイド３０は、上端部３１の外径が容器本体１０の外径よりもわずかに短くなっており、容器本体１０の上端部で嵌合されて保持されるようになっている。液分ガイド３０は、図３に示すように、下端部３２の外径（最大長さ）ｄ１が、初期状態のロール状のウェットシートＰの芯部Ｐ２の径である芯径ｄ２よりも長く且つ外縁部Ｐ３の径である巻取径ｄ３よりも短くなっている（ｄ２＜ｄ１＜ｄ３）。即ち、液分ガイド３０は、下端部３２が初期状態のロール状のウェットシートＰの芯部Ｐ２よりも外側で且つ外縁部Ｐ３よりも内側に位置するようになっている。
この液分ガイド３０は、例えば、ＰＥやＰＰ、ＰＥＴなどの硬質材料を用いて、射出成形、二色成形、ブロー成形等により一体的に形成されている。また、例えば、硬質材料を用いる代わりに、シリコンゴム等のゴムや、スチレン系、オレフィン系、塩化ビニル系、ポリエステル系、ポリウレタン系、ナイロン系のエラストマー等の熱可塑性エラストマーなどの軟質材料を用いるようにしてもよい。
なお、液分ガイド３０は、その表面に撥水加工が施されていると、液分がスムーズに移動するので、より好ましい。
【００２２】
次に、作用について説明する。
本実施形態においては、ロール状のウェットシートＰを容器本体１０に入れ、その上方から液分ガイド３０を装着した後、容器本体１０と蓋体２０とを螺合させることで、容器本体１０の内部において、ロール状のウェットシートＰが、液分ガイド３０の下方に位置する状態となっている。
ロール状のウェットシートＰは、使い始めの段階では、均一に液分が含浸されているが、保管条件が変化したり時間が経過したりすると、含有する液分が蒸発したり下部に液分が移行したりしてロール状のウェットシートＰの液分率に偏りが生じる。
蒸発して蓋体２０の天面部２２に水滴として付着した液分は、図４に示すように、液分ガイド３０の内表面を伝ってロール状のウェットシートＰの上面に滴下される。また、下部に移行した後蒸発して液分ガイド３０の外表面に水滴として付着した液分は、図５に示すように、液分ガイド３０の外表面を伝ってロール状のウェットシートＰの上面に滴下される。即ち、液分がより失われるロール状のウェットシートＰの上部側（上面）に液分が滴下され、均一に液分が含浸されることとなる。
そして、それ以降、ロール状のウェットシートＰの液分率に偏りが生じた場合でも、同様にして、液分がロール状のウェットシートＰの上面に滴下されるため、均一に液分を含浸させることができる。
【００２３】
以上のように、本実施形態に係る収納容器１００は、容器本体１０内のロール状のウェットシートＰよりも上方の内周面の全周に沿って設けられ、液分を下方に滴下する液分ガイド３０を備える。液分ガイド３０は、中央が開口した開口端部（下端部３２）を有し、当該開口端部が初期状態のロール状のウェットシートＰの芯部Ｐ２よりも外側で且つ外縁部Ｐ３よりも内側に位置している。
従って、本実施形態に係る収納容器１００によれば、容器の天面に結露した液分や、ウェットシートＰを引き出した際に絞られた液分を、ロール上部に再含浸させることによって、均一に液分を含浸させることができるので、ウェットシートＰの使用感の低下を抑制することができる。また、ウェットシートＰの菌やカビに対する保存安定性の低下を抑制することができる。
【００２４】
以上、本発明に係る実施形態に基づいて具体的に説明したが、本発明は上記実施形態に限定されるものではなく、その要旨を逸脱しない範囲で変更可能である。
【００２５】
例えば、上記実施形態では、容器本体１０の内部に液分ガイド３０を着脱可能に設置するようにしているが、これに限定されるものではない。即ち、容器本体１０と液分ガイド３０とを一体的に形成するようにしてもよい。この場合、液分ガイド３０を、軟質材料を用いて形成するとともに、下端部３２からスリット３３を形成したり（図５（Ａ）参照）、二つに分割したり（図５（Ｂ）参照）して、液分ガイド３０の下端部３２の開口を拡大可能にするとよい。これは、容器本体１０と液分ガイド３０とを一体的に形成した場合、ロール状のウェットシートＰの巻取径ｄ３が液分ガイド３０の下端部３２の最大長さ（外径）ｄ１よりも長いため、最大長さｄ１を巻取径ｄ３以上に拡大可能とすることで、ロール状のウェットシートＰを収納可能とするためである。
以上のように、液分ガイド３０を、容器本体１０と一体的に形成され、下端部３２を、ロール状のウェットシートＰを収納する際に拡径可能に形成することで、ロール状のウェットシートＰを容易に収納することができ、収納作業に掛かる時間や手間を削減することができる。
【００２６】
また、例えば、図６（Ａ）に示すように、液分ガイド３０の下端部３２側に複数の溝３４を形成するようにしてもよい。また、図６（Ｂ）に示すように、液分ガイド３０の上端部３１側から下端部３２に向かう複数のプリーツ状の溝３５を形成するようにしてもよい。また、図６（Ｃ）に示すように、上端部３１側から下端部３２に向かう螺旋状の溝３６を形成するようにしてもよい。
図６（Ａ）〜図６（Ｃ）に示す例によれば、下垂した液分が溝の部分に集約されて水滴になりやすくなるため、ロール状のウェットシートＰの上面に滴下させやすくすることができる。
また、例えば、図６（Ｄ）に示すように、液分ガイド３０の下端部３２Ａを、山谷形状に形成するようにしてもよいし、波形状に形成するようにしてもよい。
図６（Ｄ）に示す例によれば、下垂した液分が下端部３２Ａの先端部分に集約されて水滴になりやすくなるため、ロール状のウェットシートＰの上面に滴下させやすくすることができる。なお、図６（Ｄ）に示す例においては、山谷や波を少なくとも３つ以上形成することが好ましい。
【００２７】
また、容器本体１０の内部に液分ガイド３０を設置する代わりに、蓋体２０と液分ガイド３０とを一体的に形成するようにしてもよい。この場合、図７に示すように、蓋体２０の天面部２２の形状を曲面状にすることで、蓋体２０の天面部２２に付着した水滴をスムーズに液分ガイド３０に案内することができる。なお、天面部２２の形状を曲面状にする構成は、容器本体１０の内部に液分ガイド３０を設置する構成に適用したとしても、同様の効果を得ることができる。
以上のように、蓋体２０の天面部２２の形状を曲面状にすることで、蓋体２０の天面部２２に付着した水滴をスムーズに液分ガイド３０に案内することができ、効率的に液分を滴下してウェットシートＰの液分率を高めることができる。また、液分ガイド３０を蓋体２０と一体的に形成することで、蓋体２０の着脱と液分ガイド３０の着脱とを同時に行うことができ、ウェットシートＰの詰め替え作業に掛かる時間や手間を削減することができる。
【００２８】
また、蓋体２０と液分ガイド３０とを一体的に形成する場合、液分ガイド３０の下端部３２とロール状のウェットシートＰの上面との距離を接近させて液分を確実にガイド可能とするため、液分ガイド３０の下端部３２を蓋体２０の下端部よりも下方に突出させることが好ましい。この場合、蓋体２０の取出部２１と液分ガイド３０の下端部３２との距離が遠くなるため、ユーザーがウェットシートＰを取出部２１に保持させにくいという問題がある。そこで、液分ガイド３０を、軟質材料を用いて形成するとともに、図７に示すように、蛇腹状に形成してロール状のウェットシートＰの取り出し方向に折り畳み可能としている。そうすることで、ウェットシートＰを取出部２１に保持させる際に、液分ガイド３０を折り畳んで取出部２１と下端部３２との距離を接近させることができる。なお、蛇腹状に形成した部分の内角θ１及び外角θ２は、液分が滑らかに下方に移動するように、１００°以上であることが好ましく、１２５°以上であればより好ましい。
以上のように、液分ガイド３０を、ロール状のウェットシートＰの取り出し方向に折り畳み可能に蛇腹状に形成することで、取出部２１と下端部３２との距離を接近させることができ、ウェットシートＰを取出部２１に保持させ易くすることができる。
【００２９】
また、上記実施形態では、液分ガイド３０の下端部３２が円形状に開口しているが、これに限定されるものではない。即ち、ロールの芯径ｄ２＜下端部３２の外径ｄ１＜ロールの巻取径ｄ３の条件を満たす限りにおいて、いかなる形状に開口するようにしてもよく、例えば、楕円形状や、四角形等の多角形状に開口するようにしてもよい。なお、楕円形状や多角形状に開口する場合、下端部３２の外径ｄ１は、開口部分の最大長さとする。
【００３０】
その他、収納容器１００の細部構成に関しても、本発明の趣旨を逸脱することのない範囲で適宜変更可能である。
【符号の説明】
【００３１】
１００  収納容器（ウェットシート収納容器）
１０  容器本体
１１  開口部
２０  蓋体
２１  取出部
２２  天面部
２３  凹部
２４  円筒部
２４ａ  係止部
２５  小蓋
３０  液分ガイド
３１  上端部
３２、３２Ａ  下端部（開口端部）
３３  スリット
３４〜３６  溝
Ｐ  ウェットシート
Ｐ２  芯部
Ｐ３  外縁部
【図１】
0006502693.tif 000002
【図２】
0006502693.tif 000003
【図３】
0006502693.tif 000004
【図４】
0006502693.tif 000005
【図５】
0006502693.tif 000006
【図６】
0006502693.tif 000007
【図７】
0006502693.tif 000008